(57)【要約】【課題】水管継手構造の提供。【解決手段】ホース用万能継手が水管継手に設けられ、その外部ソケットは散水器等その他の散水設備が装着可能であり、当該水管継手とメス部材の隙間には漏れ防止部が設けられ、水管継手は引止め部によりメス部材内孔の突起部底面において止められ、水管継手はオスネジ或いはメスネジを具え、キャップを固定し、当該キャップのフランジはメス部材の突起部の頂部に固定でき、水管継手とメス部材が隔離しないように措置され、水管継手とメス部材が別個に回転運動を行うが、相互に干渉しないような水管継手構造。【選択図】図１
2006258282.tif 000002
【特許請求の範囲】
【請求項１】
内孔と内孔の突起部および固定溝に呼応する円孔を持つメス部材；漏れ防止部を具え、引止め部および固定溝を有する水管継手；ネジ山及びフランジを有するキャップ；を含み、この組成において、水管継手とメス部材の隙間には漏れ防止部が設けられ、水管継手は引止め部によりメス部材内孔の突起部底面において止められる。水管継手はネジでキャップと噛合い、キャップのフランジはメス部材の突起部の頂部に固定でき、これにより、水管継手とメス部材が隔離しないように措置され、水管継手とメス部材が個別に回転運動を行うような水管継手構造。
【請求項２】
請求項１記載の水管継手構造において、当該水管継手のネジ山がオスネジのとき、これと噛合うキャップのネジ山がメスネジである水管継手構造。
【請求項３】
請求項１記載の水管継手構造において、水管継手のネジ山がメスネジのとき、これと噛合うキャップのネジ山がオスネジである水管継手構造。
【請求項４】
請求項１記載の水管継手構造において、キャップの穴部が工具装着口となる水管継手構造。
【発明の詳細な説明】
【技術分野】
【０００１】
本発明は、ホース装着可能の水管継手と、噴霧器等その他の噴水設備に装着可能のメス部材が含まれ、当該水管継手とメス部材の隙間には漏れ防止部が設けられ、水管継手は引止め部によりメス部材内孔の突起部底面において止められ、水管継手はオスネジ或いはメスネジを具え、キャップを固定でき、当該キャップのフランジはメス部材の突起部の頂部に固定される。水管継手とメス部材が隔離しないように措置され、両者が別個に回転運動を行うが、相互に干渉しないような水管継手構造を提供する。
【背景技術】
【０００２】
ホースは使用に当たり、伸ばす、引っ張る、巻き取る等の動作が伴うことから、ホースは旋回運動しがちであるが、もし水管継手が固定されてしまうと、ホースは湾曲し、詰まり発生により水流、ホース収納または使用のための引き動作に影響を与える。
【０００３】
よって、固定式水管継手はホース湾曲の問題を改善することができず、それどころかホースの湾曲をより深刻化し使用上の困難をもたらすのが欠点であった。
【発明の開示】
【発明が解決しようとする課題】
【０００４】
本発明の主な目的は上述の各欠点を除去して、そのうち当該水管継手構造はメス部材と水管継手に分けられ、その隙間には漏れ防止部が施され、水管継手にはホースが装着でき、メス部材には噴水設備が固定でき、水管継手は引止め部によりメス部材内孔の突起部底面において止められ、水管継手はオスネジ或いはメスネジを具え、キャップを固定でき、当該キャップのフランジはメス部材の突起部の頂部に固定され、水管継手とメス部材が隔離しないように措置される。当該水管継手とメス部材が別個に回転運動を行うが、相互に干渉しないような特徴を持つ水管継手構造を提供することである。
【課題を解決するための手段】
【０００５】
請求項１の発明は、内孔と内孔の突起部および固定溝に呼応する円孔を持つメス部材；漏れ防止部を具え、引止め部および固定溝を有する水管継手；ネジ山及びフランジを有するキャップ；を含み、この組成において、水管継手とメス部材の隙間には漏れ防止部が設けられ、水管継手は引止め部によりメス部材内孔の突起部底面において止められる。水管継手はネジでキャップと噛合い、キャップのフランジはメス部材の突起部の頂部に固定でき、これにより、水管継手とメス部材が隔離しないように措置され、水管継手とメス部材が個別に回転運動を行うような水管継手構造としている。
請求項２の発明は、請求項１記載の水管継手構造において、当該水管継手のネジ山がオスネジのとき、これと噛合うキャップのネジ山がメスネジである水管継手構造としている。
請求項３の発明は、請求項１記載の水管継手構造において、水管継手のネジ山がメスネジのとき、これと噛合うキャップのネジ山がオスネジである水管継手構造としている。
請求項４の発明は、請求項１記載の水管継手構造において、キャップの穴部が工具装着口となる水管継手構造としている。
【発明の効果】
【０００６】
本発明の水管継手構造において、水管継手とメス部材は同方向に回転運動を行うが、相互に干渉しないような関係にあり、ホース装着・使用に当たり、ホースのねじれや曲がりによる損壊、水流詰まりを回避し、両者の運動に当たっても水漏れは発生せず、実用本位の水管継手構造からくる効用を達成していることがわかる。
【発明を実施するための最良の形態】
【０００７】
本発明の構造設計および技術に対する理解を深めるため、ここに図面を配して、以下、説明を試みたい。
第１図に示すのは本発明の立体分解図であり、ソフト材質の手持ち端１１が設けられたメス部材１０、突起部１３を含む。メス部材内孔１２（第２図を参照）、底面１３１と頂部１３２を持つ突起部１３、散水設備（図中未表示）を固定するために当該メス部材１０の外周に施されたオスネジ１４；ホース用万能継手２１、突出した引止め部２２、漏れ防止部３０のある溝２３およびオスネジ２４を具えた水管継手２０；止水パッキンとなる漏れ防止部３０；工具装着口４１、メスネジ４２およびフランジ４３を具備したキャップ；上述の構成分子によって本発明である水管継手構造を構成する。
【０００８】
第２図に示すのは本発明の組合せ後の断面図であり、水管継手２０とメス部材１０の間に漏れ防止部３０を設け、当該漏れ防止部３０は水管継手２０の溝２３に嵌め込まれ、水管継手２０は引止め部２２によりメス部材１０の内孔１２における突起部１３底面１３１で止められる。水管継手２０のオスネジ２４とキャップ４０のメスネジ４２を噛合わせるが、噛合わせに当たりキャップ４０の工具装着口４１は適切な工具の取り付け固定に供され、キャップ４０のメスネジ４２は水管継手２０のオスネジ２４とスムーズに噛合い、水管継手２０の内孔２５は工具装着口として使われ、当該キャップ４０のフランジ４３はメス部材１０の突起部１３頂部１３２で止められて、水管継手２０とメス部材１０が隔離しないように措置され、しかも水管継手とメス部材が別個に回転運動を行うが、相互に干渉しないような関係にある。
【０００９】
上述の水管継手２０の万能継手２１はホース装着に供され、メス部材１０のオスネジ１４は散水設備取り付けに供される。
【００１０】
上述の工具装着口は多角形または最低でも一辺が平面であり、工具連接取り付けに供され、工具装着口第二の効用として水流の通過が挙げられる。
【００１１】
第３図に示すのは本発明の別の実施例における組合せ後の断面図であり、水管継手２０とメス部材１０の間に漏れ防止部３０を設け、当該漏れ防止部３０は水管継手２０の溝２３に嵌め込まれ、水管継手２０は引止め部２２によりメス部材１０の  内孔１２における突起部１３底面１３１で止められ、水管継手２０のメスネジ２６とキャップ４０のオスネジ４４を噛合わせるが、噛合わせに当たりキャップ４０の工具装着口４５は適切な工具の取り付け固定に供される。キャップ４０のオスネジ４４は水管継手２０のメスネジ２６とスムーズに噛合い、水管継手２０の内孔２５は工具装着口として使われ、当該キャップ４０のフランジ４３はメス部材１０の突起部１３頂部１３２で止められて、水管継手２０とメス部材１０が隔離しないように措置され、しかも水管継手２０とメス部材１０が別個に回転運動を行うが、相互に干渉しないような関係にある。
【図面の簡単な説明】
【００１２】
【図１】本発明の水管継手構造の立体分解図。
【図２】本発明水管継手構造の組合せ後の断面図。
【図３】本発明水管継手構造の熱の実施例における組合せ後の断面図。
【符号の説明】
【００１３】
１０    メス部材        １１    手持ち端
１２    内孔            １３    突起部
１３１  底面            １３２  頂部
１４    オスネジ        ２０    水管継手
２１    万能継手        ２２    引止め部
２３    溝              ２４    オスネジ
２５    内孔            ２６    メスネジ
３０    漏れ防止部      ４０    キャップ
４１    工具装着口      ４２    メスネジ
４３    フランジ        ４４    オスネジ
５０    ホース
【図１】
2006258282.tif 000003
【図２】
2006258282.tif 000004
【図３】
2006258282.tif 000005